(57)【要約】【課題】加温したい育児用品の加温領域を２箇所備えた加温装置を提供する。【解決手段】加温装置本体の内部には、第１被加温対象物を収納するための第１収納領域Ａと第２被加温対象物を収納するための第２収納領域Ｂとを隔離するための隔離壁１０６が設けられている。隔離壁１０６よりも下側に位置する第１収納領域Ａにおいては、Ｐ１方向に引出し可能な引出し１０２が設けられ、隔離壁１０６よりも上側に位置する第２収納領域Ｂにおいては、半ドーム開閉蓋１０３が設けられている。また、隔離壁１０６の下端部には加温ヒータ４０１が設けられている。【選択図】　　　　図４
2004014257.tif 000002
【特許請求の範囲】
【請求項１】
被加温対象物を収納するための加温装置であって、
第１被加温対象物を収納するための第１収納領域と、
前記第１収納領域の上方において前記第１収納領域に対して隔離壁によって隔たれた、第２被加温対象物を収納するための第２収納領域と、
前記隔離壁近傍に設けられ、前記第１被加温対象物および前記第２被加温対象物を加温するための加温手段と、
を備える、加温装置。
【請求項２】
当該加温装置は、中間領域に前記隔離壁を備える筐体を有し、
前記第１収納領域には、前記隔離壁よりも下方領域において、前記筐体に対して出し入れ可能な引出部材が設けられ、
前記第２収納領域には、前記隔離壁よりも上方領域において、開閉可能なカバー部材が設けられる、請求項１に記載の加温装置。
【請求項３】
前記加温手段と前記引出部材との間には、前記引出部材を引出す場合には前記加温手段が上昇し、前記引出部材を収納した後には前記引出部材が前記第１収納領域内に下降する昇降機構が設けられる、請求項２に記載の加温装置。
【発明の詳細な説明】
【０００１】
【発明の属する技術分野】
この発明は、加温装置に関し、より特定的には、おむつ、ウエットティッシュその他の育児用品を暖めることが可能な、加温装置に関する。
【０００２】
【従来の技術】
赤ちゃんを育児する際に用いられる、おむつ、ウエットティッシュ等は、夏場に使用する場合は問題ないが、冬場などにおいては、おむつや、ウエットティッシュは、外気により冷たくなっているために、赤ちゃんに冷たい思いをさせたり、また、寝ている赤ちゃんが、その冷たさのために目を覚ましてしまう場合がある。そこで、特にウエットティッシュを暖める装置として、特開平８−１１７１３７号公報に開示されるウエットティッシュの加熱装置が挙げられる。
【０００３】
このウエットティッシュの加熱装置は、ウエットティッシュを収容する容器の上側にヒータが取り付けられ、ウエットティッシュの開口位置に対応する位置にティッシュ取出口が設けられている。
【０００４】
【発明が解決しようとする課題】
しかし、上記加熱装置においては、加熱領域が１つしかなく、また、ティッシュ取出口が上面側にあるために、加熱装置の上面側に、過熱したい他の育児用品をおくことができない構成となっている。
【０００５】
したがって、この発明の目的は、加温したい育児用品の加温領域を２箇所備えることを可能とした、加温装置を提供することにある。
【０００６】
【課題を解決するための手段】
この発明に基いた加温装置においては、被加温対象物を収納するための加温装置であって、第１被加温対象物を収納するための第１収納領域と、上記第１収納領域の上方において上記第１収納領域に対して隔離壁によって隔たれた、第２被加温対象物を収納するための第２収納領域と、上記隔離壁近傍に設けられ、上記第１被加温対象物および上記第２被加温対象物を加温するための加温手段とを備える。
【０００７】
この構成により、１つの加温手段により、第１収納領域および第２収納領域において、２つの育児用品を加温することができる。たとえば、第１収納領域に第１被加温対象物としてウエットティッシュを配置し、第２収納領域に第２被加温対象物として紙おむつを配置することにより、おむつ替えのときなど、赤ちゃんを冷たさでびっくりさせることなく、快適な気持ちで、赤ちゃんのおむつ替えを行なうことが可能になる。
【０００８】
また、上記加温装置において好ましくは、中間領域に上記隔離壁を備える筐体を有し、上記第１収納領域には、上記隔離壁よりも下方領域において、上記筐体に対して出し入れ可能な引出部材が設けられ、上記第２収納領域には、上記隔離壁よりも上方領域において、開閉可能なカバー部材が設けられる。
【０００９】
このように、下方に引出部材を配置することにより、ウエットティッシュ等のように、上面側に取出し口が設けられている育児用品であっても、使い勝手を損なうことなく、第１被加温対象物の加温を実現させることが可能になる。
【００１０】
また、上方に開閉可能なカバー部材を設けることで、簡単な作業で第２収納領域の開閉が行なえ、たとえば、紙おむつの取出しや収納作業も容易に行なうことが可能になる。
【００１１】
また、上記加温装置において好ましくは、上記加温手段と上記引出部材との間には、上記引出部材を引出す場合には上記加温手段が上昇し、上記引出部材を収納した後には上記引出部材が上記第１収納領域内に下降する昇降機構が設けられる。
【００１２】
この昇降機構を設けることにより、引出部材を筐体内に収容している状態においては、加温手段が第１被加温対象物に接近することから、第１被加温対象物を効果的に暖めることが可能になる。
【００１３】
【発明の実施の形態】
以下、この発明に基づいた加温装置の実施の形態について、図１から図４を参照して説明する。なお、図１は本実施の形態における加温装置１００の全体構成（閉鎖状態）を示す斜視図であり、図２は本実施の形態における加温装置１００の全体構成（開放状態）を示す斜視図であり、図３は図１中ＩＩＩ−ＩＩＩ線矢視断面図であり、図４は図２中ＩＶ−ＩＶ線矢視断面図である。
【００１４】
（加温装置１００）
図１および図２を参照して、本実施の形態における加温装置１００は、上半分がドーム形状の加温装置本体１０１を有している。この加温装置本体１０１の内部には、第１被加温対象物を収納するための第１収納領域Ａと第２被加温対象物を収納するための第２収納領域Ｂとを隔離するための隔離壁１０６が設けられている。
【００１５】
加温装置本体１０１の隔離壁１０６よりも下側に位置する第１収納領域Ａにおいては、Ｐ１方向に引出し可能な引出し１０２が設けられ、この引出し１０２の内部に、第１被加温対象物を収納可能としている。
【００１６】
加温装置本体１０１の隔離壁１０６よりも上側に位置する第２収納領域Ｂにおいては、固定的に設けられる半ドーム壁１０５と、この半ドーム壁１０５の内壁に沿って軸１０３ｃ（図３参照）を回転軸にしてＰ２方向に開閉可能な半ドーム開閉蓋１０３が設けられている。
【００１７】
半ドーム開閉蓋１０３の前部にはつまみ１０３ａが設けられ、半ドーム開閉蓋１０３を閉じた状態においては、このつまみ１０３ａに設けられた係合部材が、加温装置本体１０１に設けられた係合部に係止し、この係止状態は、加温装置本体１０１に設けられた解除ピン１０４により解除可能に設けられている。
【００１８】
加温装置１００の内部において、図３および図４に示すように、隔離壁１０６の下端部には加温ヒータ４０１が設けられている。この加温ヒータ４０１には、ケーブル４０２およびコネクタ４０３が設けられ、外部から電力を供給可能としている。
【００１９】
また、加温ヒータ４０１の後部には、リンクバー３０１の回動軸３０１ｂが連結され、加温ヒータ４０１の前部には、リンクバー３０２の回動軸３０２ｂが連結されている。リンクバー３０１の他端部は、隔離壁１０６の下側に設けられたリブに回動軸３０１ａが連結され、リンクバー３０２の他端部は、隔離壁１０６の下側に設けられたリブに回動軸３０２ａが連結されている。このリンクバー３０１，３０２は、引出し１０２の両側に設けられる。
【００２０】
ここで、引出し１０２が加温装置本体１０１内に収容された状態においては、図３に示すように、加温ヒータ４０１が自重により下方に降下した状態となる。一方、引出し１０２を加温装置本体１０１外に引き出した状態においては、引出し１０２の後端部がリンクバー３０１に当接し（図３中Ｘで囲まれる領域）、引出し１０２の後端部がリンクバー３０１を上方に持ち上げる結果、加温ヒータ４０１が上方に持ち上げられた状態が維持されることになる。
【００２１】
（作用・効果）
以上、上記構成からなる加温装置によれば、１つの加温ヒータ４０１により、第１収納領域Ａおよび第２収納領域Ｂにおいて、２つの育児用品を加温することができる。たとえば、図３および図４に示すように、第１収納領域Ａにウエットティッシュ２０２を配置し、第２収納領域Ｂに紙おむつ２０１を配置することにより、おむつ替えのときなど、赤ちゃんを冷たさでびっくりさせることなく、快適な気持ちで、赤ちゃんのおむつ替えを行なうことが可能になる。
【００２２】
また、下方に引出し１０２を配置することにより、ウエットティッシュ２０２のように、上面側に取出し口が設けられている育児用品であっても、使い勝手を損なうことなく、ウエットティッシュ２０２の加温を実現させることが可能になる。
【００２３】
また、上方に開閉可能な半ドーム開閉蓋１０３を設けることで、簡単な作業で第２収納領域Ｂの開閉が行なえ、紙おむつ２０１の取出しや収納作業も容易に行なうことが可能になる。
【００２４】
さらに、加温ヒータ４０１に昇降機構を設けることにより、引出し１０２を筐加温装置本体１０１内に収容している状態においては、加温ヒータ４０１がウエットティッシュ２０２に接近することから、ウエットティッシュ２０２を効果的に暖めることが可能になる。
【００２５】
なお、上記実施の形態においては、第１収納領域Ａに引出し１０２、第２収納領域Ｂに半ドーム開閉蓋１０３を設ける構成にしたが、いずれの領域にも引出しを設ける構成や、または開閉蓋を設ける構成を採用することも可能である。
【００２６】
また、加温ヒータ４０１の昇降機構についても、リンクバー３０１，３０２を用いる構成を採用しているが、その他公知の技術により、引出し１０２の出し入れに連動した昇降機構を適用することが可能である。
【００２７】
また、ウエットティッシュ、紙おむつだけでなく、その他の加温が必要な育児製品に対して用いることが可能である。
【００２８】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【００２９】
【発明の効果】
この発明に基いた加温装置によれば、おむつ替えのときなど、赤ちゃんを冷たさでびっくりさせることなく、快適な気持ちで、赤ちゃんのおむつ替えを行なうことが可能になる。
【図面の簡単な説明】
【図１】本実施の形態における加温装置１００の全体構成（閉鎖状態）を示す斜視図である。
【図２】本実施の形態における加温装置１００の全体構成（開放状態）を示す斜視図である。
【図３】図１中ＩＩＩ−ＩＩＩ線矢視断面図である。
【図４】図２中ＩＶ−ＩＶ線矢視断面図である。
【符号の説明】
１００　加温装置、１０１　加温装置本体、１０２　引出し、１０３　半ドーム開閉蓋、１０３ａ　つまみ、１０３ｃ　軸、１０４　解除ピン、１０５　半ドーム壁、１０６　隔離壁、３０１，３０２　リンクバー、３０１ａ，３０１ｂ，３０２ａ，３０２ｂ　回動軸、４０１　加温ヒータ、４０２　ケーブル、４０３
コネクタ、Ａ　第１収納領域、Ｂ　第２収納領域。
【図１】
2004014257.tif 000003
【図２】
2004014257.tif 000004
【図３】
2004014257.tif 000005
【図４】
2004014257.tif 000006